(57)【特許請求の範囲】
【請求項１】
それぞれシャフト（１１）の一端にヘッド（１２）を有する複数の固定素子（１）を担持するための固定素子マガジンであって，該マガジンが，後壁（３）と，該後壁（３）から突出し，かつ，互いに対向しつつマガジンの長手方向（Ｌ）に平行に延在する一対の側壁（２）とを具え，該側壁（２）及び前記後壁（３）が，固定素子（１）のヘッド（１２）を収容するための収容スペース（４）を形成し，前記側壁（２）が，マガジンの長手方向（Ｌ）に延在する開口部（５）を限定する端部領域（６ａ，６ｂ）を有し，マガジンの長手方向（Ｌ）に対して直角に測った前記開口部（５）の幅が，固定素子（１）におけるシャフト（１１）の最大径より大きく，かつ，ヘッド（１２）の最大径よりも小さく設定され，前記マガジンが，前記収容スペース（４）からの固定素子（１）の，前記長手方向（Ｌ）への抜け出しを防止するための抜け出し防止手段（７）を更に具え，該抜け出し防止手段（７）が，マガジンの長手方向端部に配置され，かつ，側壁（２）に対して略直角方向に作用することにより前記収容スペース（４）の内幅を部分的に狭める弾性手段を含み，該弾性手段が，前記収容スペース（４）内に突出するように前記側壁（２）の端部領域（６ａ，６ｂ）に配置されたクランプウェブ（１７，１８）を含み，
前記クランプウェブ（１７，１８）は，前記マガジンの長手方向端部における前記開口部（５）の幅が前記固定素子（１）の前記シャフト（１１）の最大径より小さくなるように，前記側壁（２）に対して直角かつ前記後壁（３）に対して平行に，前記開口部（５）内まで延在することを特徴とするマガジン。
【請求項２】
請求項１に記載のマガジンにおいて，前記側壁（２）の端部領域（６ａ，６ｂ）にカム素子（２０）が設けられ，該カム素子（２０）が，前記開口部（５）を限定する把持面（２３）から，前記長手方向（L）と交差する方向に突出することを特徴とするマガジン。
【請求項３】
請求項２に記載のマガジンにおいて，前記カム素子（２０）が菱形断面形状を有することを特徴とするマガジン。
【請求項４】
請求項２又は３に記載のマガジンにおいて，前記カム素子（２０）が，前記側壁（２）の両端部領域（６ａ，６ｂ）に配置されていることを特徴とするマガジン。
【請求項５】
請求項３又は４に記載のマガジンにおいて，互いに対向するカム素子（２０）の表面（２１）が，スロート部を形成しており，該スロート部が，マガジンの長手方向端部から離間する方向に向けて間隔を狭めていることを特徴とするマガジン。
【請求項６】
請求項１〜５の何れか一項に記載のマガジンにおいて，少なくとも一方の前記側壁（２）にスリット（２２）が設けられ，該スリットにより側壁（２）が二部分（２４，２５）に区分され，その一方の部分（２５）により前記弾性手段が形成されていることを特徴とするマガジン。
【発明の詳細な説明】
【０００１】
【技術分野】
本発明は，ネジ等の固定素子を担持するための固定素子マガジンに関し，特に，互いに対向しつつ長手方向に平行に延在する一対の側壁を具え，該側壁が，固定素子の収容スペースを形成するよう後壁から突出し，かつ，長手方向に延在する開口部を限定する端部領域を有し，前記収容スペースが，固定素子をその全長の少なくとも一部に亙って担持すると共に，長手方向と交差する方向における固定素子の抜け出しを少なくとも一つの抜け出し防止手段によって防止するマガジンに関するものである。
【０００２】
【従来技術】
上述した構成を有する固定素子マガジンは，互いに対向しつつ長手方向に平行に延在する一対の側壁が，固定素子の収容スペースを形成するよう後壁から突出し，かつ，長手方向に延在する開口部を限定する端部領域を有する。収容スペースは，固定素子の少なくとも一部を収容すると共に，マガジンにより担持される固定素子のガイド面を形成する。側壁は長手方向に延在する開口部を限定するための端部領域を含み，この端部領域は後壁に対して直角方向における固定素子の収容スペースからの抜け出しを防止する。使用時には，抜け出し防止手段を解除することにより固定素子をマガジンにおける収容スペースから長手方向に押出す。
【０００３】
米国特許第３８９１０１４号明細書（特許文献１）は，互いに対向しつつ長手方向に平行に延在する一対の側壁が，固定素子の収容スペースを形成するよう後壁から突出し，かつ，長手方向に延在する開口部を限定する端部領域を有する固定素子マガジンを記載している。この場合，固定素子の収容スペースが固定素子を全長の少なくとも一部に亙って担持するものであり，長手方向の両端部に配置された抜け出し防止手段によってマガジンの長手方向における固定素子の抜け出しを防止する。抜け出し防止手段は，収容スペース内に延在する係止突部を具える。係止突部は弾性的に形成され，収容スペース内に向けて付勢されている。マガジンを押込むと，係止突部が解除機構により弾性力に抗して少なくとも部分的に収容スペースから押出され，収容スペースからの固定素子の押出しを許容する。
【０００４】
【特許文献１】
米国特許第３８９１０１４号明細書
【０００５】
米国特許第３８９１０１４号明細書に記載されている既知の固定素子マガジンは，複雑な構造の解除機構が別途必要とされる欠点がある。さらに，抜け出し防止手段が複数の部材を必要とするため，マガジンを経済的に製造することが困難である。
【０００６】
【発明の課題】
本発明の課題は，抜け出し防止手段を有するも経済的に製造可能な固定素子マガジンを提案することである。
【０００７】
【課題の解決手段】
本発明による固定素子マガジンは，互いに対向しつつ長手方向に平行に延在する一対の側壁を具え，該側壁が，固定素子の収容スペースを形成するよう後壁から突出し，かつ，長手方向に延在する開口部を限定する端部領域を有する。収容スペースは，固定素子をその全長の少なくとも一部に亙って担持すると共に，長手方向と交差する方向における固定素子の抜け出しを少なくとも一つの抜け出し防止手段によって防止する。抜け出し防止手段は，側壁に対して略直角に作用する少なくとも一つの弾性手段を具え，該弾性手段が収容スペースの内幅を少なくとも部分的に狭める構成とされ，弾性手段は，収容スペース内に突出するように側壁の端部領域に配置されたクランプウェブを含み，該クランプウェブは，マガジンの長手方向端部における開口部の幅が固定素子のシャフトの最大径より小さくなるように，側壁に対して直角かつ後壁に対して平行に，開口部内まで延在する。
【０００８】
本発明によれば，抜け出し防止手段が側壁に対して略直角に作用する少なくとも一つの弾性手段を具え，該弾性手段が収容スペースの内幅を少なくとも部分的に狭める構成とされているため，構成が簡単で経済的に製造することができるマガジン，特にその抜け出し防止手段を容易に実現することが可能である。弾性手段により収容スペースの内幅を少なくとも部分的に狭めるため，固定素子の収容スペースからの不所望の長手方向への抜け出しを効果的に防止することが可能である。弾性手段により，例えば抜け出し防止手段の解除に必要とされる操作力を作用させて，固定素子を収容スペース内にセットし，又は収容スペースから押出すことが可能である。収容スペースの内幅を少なくとも部分的に狭めるためには，例えば，収容スペースの特定部位における内幅を，当該部位における固定素子の幅よりも狭めることができる。
【０００９】
弾性手段をマガジンの少なくとも一方の長手方向端部に配置し，当該長手方向端部における固定素子の収容スペースからの不所望の抜け出しを防止するのが好適である。好適な実施形態では，抜け出し防止手段をマガジンの両長手方向端部に配置し，マガジンを手持式工具装置のマガジンホルダに対して何れの端部においても係合可能とする。
【００１０】
弾性手段により側壁の少なくとも一部に対して，互いに対向する方向に弾性力を作用させ，固定素子を摩擦力によりマガジン内においてクランプ状態で保持するのが好適である。
【００１１】
本発明によれば，弾性手段を側壁の少なくとも一部により形成することによりマガジンを経済的に製造することが可能である。例えば，側壁及び／又は後壁の少なくとも一部を弾性材料で形成するのが望ましい。弾性手段の領域内で，その弾性により収容スペースの把持作用が一層確実なものとなり，固定素子の不所望の抜け出しがより効果的に防止される。
【００１２】
側壁には，少なくとも一つの固定素子を把持するために収容スペース内に突出する少なくとも一つのクランプウェブを設けるのが好適である。
【００１３】
この場合，開口部内に突出するクランプウェブを，側壁における少なくとも一方の端部領域に配置して，例えば抜け出し防止手段を良好なアクセスをもって外部から操作可能とするのが望ましい。
【００１４】
クランプウェブをマガジンの長手方向両端部に配置し，かつ，収容スペースからの固定素子の長手方向への抜け出しを阻止するのが，マガジンをより経済的に製造可能とするために望ましい。
【００１５】
クランプウェブはノッチにより形成するのが好適である。ノッチはスタンプ加工又は熱変形により形成することができる。好適には，マガジンの外面にもノッチを設け，これにより工具装置に対するマガジンの係合手段を形成する。
【００１６】
弾性手段をマガジンの長手方向と平行に延在させ，弾性手段による弾性力が負荷される領域に均等な弾性力を及ぼすのが好適である。
【００１７】
本発明によれば，マガジンを容易に操作可能とすると共に経済的に製造可能とするため，弾性手段をマガジンと一体的に形成する。
【００１８】
側壁の端部領域にカム素子を配置し，このカム素子をマガジンにより担持された固定素子の長手方向と略平行に延在させるのが好適である。この場合，固定素子のマガジンからの抜け出しを阻止するクランプウェブを，手持式工具装置における供給手段にセットする際に，適当な構成を有する拡開素子又は拡開コアにより押圧変位させ，これによりクランプウェブを固定素子の押出し経路から退去させることが可能である。カム素子は，例えば円筒体として形成することができるが，菱形断面形状を有する柱状体として形成することも可能である。菱形断面形状の柱状体として形成する場合，互いに対向するカム素子の表面により，長手方向端部から離間する方向に向けて間隔の狭まるスロート部を形成して，手持式工具装置における拡開素子のガイドとして機能させるのが好適である。この場合，マガジンを工具装置にセットすると，拡開素子がカムの外面と係合し，カムを介してクランプウェブを弾性手段の弾性力に抗して押圧する。
【００１９】
弾性力に抗してクランプウェブを拡開させるための拡開力を最適化するため，少なくとも一方の側壁に少なくとも一つのスリットを設け，該スリットにより側壁を，クランプウェブ及びカム素子を担持する前方の弾性部分と，固定素子を担持する第２部分とに区分するのが好適である。この場合，弾性手段は側壁の端部領域のみに配置される。
【００２０】
【実施の形態】
以下，本発明を筋の好適な実施形態について更に詳述する。
【００２１】
図１〜図３，及び図７は，本発明によるマガジンの理解に資するための各種参考例を示すものであり，図４〜図６，図８，及び図９は，本発明によるマガジンの各種実施形態を示すものである。本発明によるマガジンは，ネジ等の固定素子１を担持するものであり，互いに対向しつつ長手方向Ｌに平行に延在する一対の側壁２を具えている。側壁２は，固定素子１の収容スペース４を形成するよう後壁３から垂直に突出し，かつ，長手方向Ｌに延在する開口部５を限定する端部領域６ａ，６ｂを有する。側壁２及び後壁３の長手方向端部により，マガジンの両長手方向端部に端部開口８が形成されている。収容スペース４には，固定素子１をその全長ａの少なくとも一部に亙って担持すると共に，長手方向Ｌと交差する方向における固定素子１の端部開口８からの抜け出しを防止する少なくとも一つの抜け出し防止手段７が設けられている。抜け出し防止手段７は，側壁２に対して直角に弾性力を作用させる弾性手段を有し，この弾性手段により収容スペース４の内幅を狭める構成とされている。
【００２２】
固定素子１は，シャフト１１の一端にヘッド１２を具える。ヘッド１２は，トルク伝達手段として多角形断面部分１３を有する。ヘッド１２は，シャフト１1との接続部にヘッド１２と一体の座金部を有する。シャフト１１は，その全長の少なくとも一部に亙り，ネジ部を有する。各固定素子１は，その全長ａが後壁３に対して直角に延在するようにマガジン内で担持される。長手方向Lに対して直角に測った開口部５の幅は，固定素子１におけるシャフト１１の最大径よりも大きく，かつ，ヘッド１２の最大径よりも小さく設定されている。後ろ壁３に対して直角に測った収容スペース４の高さは，固定素子１の長手方向に測ったヘッド１２の最大寸法よりも大きく設定されている。固定素子１は，マガジンの長手方向Lに変位可能に担持されるものである。
【００２３】
図１〜図３に示す第１参考例において，側壁２の各長手方向端部には，後壁３に対して直角に延在すると共に，抜け出し防止手段７として機能するノッチ１４，１５が設けられている。ノッチ１４，１５は，図３に示すように，側壁２に対して直角に収容スペース４内に突出する。少なくとも側壁２は，弾性手段を形成するために弾性材料，好適にはプラスチック材料により形成されている。抜け出し防止手段７に隣接する固定素子１が抜け出し防止手段７，特にノッチ１４に力Fを作用させると，側壁２におけるノッチ１４の領域が変形する。固定素子１から及ぼされる力が十分に大きければ抜け出し防止機能が解除され，固定素子１が収容スペースから外部に押出される。力が作用しなくなると，弾性力が側壁２におけるノッチ１４の領域を押圧して，図１及び図３に示す休止位置まで復元させる。
【００２４】
図４〜図６に示す第１実施形態において，側壁２の各長手方向端部６ａ，６ｂには，後壁３に対して直角に延在すると共に，抜け出し防止手段７として機能するクランプウェブ１７，１８が設けられている。クランプウェブ１７，１８は，図４及び図６に示すように，後壁３と平行に開口部５内まで延在している。側壁２を弾性的に構成することにより，側壁２は弾性手段として機能する。これにより，クランプウェブ１７，１８は，側壁２に対して直角方向に変形して抜け出し防止機能を解除することが可能である。
【００２５】
図７に示す第２参考例において，弾性手段は，マガジンの全長に亙って長手方向ａに向けて延在し，かつ，互いに接近する方向に付勢された側壁２により形成されている。これにより，固定素子１は側壁２の間で摩擦力によりクランプされる。上述した第１参考例及び第１実施形態とは異なり，マガジンにより担持される固定素子１のヘッド１２が収容スペース４の外部に配置されるので，マガジンの使用材料を削減し，コンパクトな構造を実現することが可能である。クランプ力を凌駕する十分に大きな力を長手方向に作用させると，固定素子１をマガジンから押出すことができる。
【００２６】
本発明によるマガジンは，例えば，固定手段１を基盤に打ち込むための手持式工具装置（図示せず）に適用することができる。このような手持式工具装置は，固定素子の供給手段と打ち込み手段とを具え，固定素子を供給手段により順次に打ち込み手段に供給するのが普通である。供給手段はマガジンの長手方向端部，特に抜け出し防止手段７と協働する交差位置を有する。マガジンを供給手段の交差位置と協働させると，抜け出し防止手段７が解除され，マガジンで担持されていた固定素子１が供給手段まで押出される。空になったマガジンは，手持式工具装置から取り外すことが可能である。
【００２７】
図８に示す第２実施形態は，開口部５を，側壁２から直角方向に延在する把持面２３により狭め，その把持面２３に円筒形状のカム２０が設けられている点で，図４〜図６に示した実施形態と相違している。カム２０は，クランプウェブ１７，１８の領域内に配置されている。さらに，側壁２及び把持面２３はスリット２２により二部分２４，２５に区分されている。その一方の部分２５は弾性手段を形成する。クランプウェブをその弾性手段の弾性力に抗して，手持式工具装置における供給手段の拡開部材に押圧すると，抜け出し防止手段７が解除され，工具装置における供給手段に対する固定素子１の押出しが可能となる。手持式工具装置における供給手段の拡開部材は，カム２０及び側壁２の弾性手段を形成する側壁２の部分２５に係合して押圧力を作用する少なくとも一つの拡開コアを含むものとする。
【００２８】
図９に示す第３実施形態は，カム２０が菱形断面形状を有する点で図８に示した実施形態と相違している。カム２０の外面２１は互いに所定の角度をなして配置され，開口部５の中央面内で交差する配置とされている。本実施形態で採択したカム２０の菱形断面形状は，手持式工具装置における供給手段の拡開部材の拡開コアが，マガジンの長手方向に対して斜めに延在するカム２０の外面２１と係合し，クランプウェブ１７，１８を弾性手段の弾性力に抗して互いに押圧する場合に特に有利である。
【図面の簡単な説明】
【図１】本発明によるマガジンの理解に資するための第１参考例を示す平面図である。
【図２】図１に示すマガジンの側面図である。
【図３】図１及び図２に示すマガジンの要部を示す斜視図である。
【図４】本発明によるマガジンの第１実施形態を示す平面図である。
【図５】図４に示すマガジンの側面図である。
【図６】図４及び図５に示すマガジンの要部を示す斜視図である。
【図７】本発明によるマガジンの理解に資するための第２参考例を示す断面図である。
【図８】本発明によるマガジンの第２実施形態の要部を示す斜視図である。
【図９】本発明によるマガジンの第３実施形態の要部を示す斜視図である。
【符号の説明】
１ 固定素子
２ 側壁
３ 後壁
４ 収容スペース
５ 開口部
６ａ，６ｂ 端部領域
７ 抜け出し防止手段
１４，１５ ノッチ
１７，１８ クランプウェブ
２０ カム素子
２１ 表面
２２ スリット
２３ 把持面
２５ 側壁の突出部分
【図１】
0004938958.tif 000002
【図２】
0004938958.tif 000003
【図３】
0004938958.tif 000004
【図４】
0004938958.tif 000005
【図５】
0004938958.tif 000006
【図６】
0004938958.tif 000007
【図７】
0004938958.tif 000008
【図８】
0004938958.tif 000009
【図９】
0004938958.tif 000010